(57)【要約】【課題】従来のコーナークリップは組み合わせ作業が複雑であり、用具本体に厚みがあったり、角にぴったりフィットしなかったりして、書類等を整理する際にすっきりしなかった。【解決手段】本発明は一枚の略矩形の銅版を打ちぬき、直角三角形の箱形状に折りまげ形成し、本来持っている鋼板の弾力性を利用したものである。本体にイカ形リングを設け、そのイカ形リングを筒状に折り曲げたカーリング部を軸として、回転可能なように挿入固定して、イカ型リングの先端部を押える事により付属直角二等辺三角形の接近する開口部を開閉して、紙を挟閉するようにした。【選択図】図１
2006062368.tif 000002
【特許請求の範囲】
【請求項１】
一枚の略矩形の弾力性を有する鋼板を折り曲げて形成するコーナークリップであって、基本直角二等辺三角形の両斜辺に前記斜辺と同一寸法の長辺を有する矩形と、前記矩形の長辺に前記長辺と同一寸法の底辺を有する付属直角二等辺三角形が谷折線を介して形成され、前記基本直角二等辺三角形の底辺に２個と前記付属直角二等辺三角形の斜辺に、各１個のカーリング部形成用の突片部が前記谷折線にそって前記付属直角二等辺三角形を折り曲げた時、対向する位置となる様に設け、前記突片部を筒状に形成したカーリング部に、起倒可能な様にイカ形リングの先部が挿入され、前記イカ形リングの中央部が前記基本直角二等辺三角形の面と付属直角二等辺三角形の面に、それぞれ接するように設けられたことを特徴とするコーナークリップ。
【発明の詳細な説明】
【技術分野】
【０００１】
本発明は各種の書類やコピー用紙等を重ねてコーナー部分を支持挟閉するために適した（角とめ）コーナークリップに関するものである。
【背景技術】
【０００２】
一枚の鋼板を折り曲げたクリップ本体に一対のリング（ハンドル）を取り付けそのリング（ハンドル）を操作して書類等の角部を挟持するために使用するコーナークリップは公知である。（例えば特許文献１参照）
【特許文献１】特開８−２５８６６号公報
【発明の開示】
【発明が解決しようとする課題】
【０００３】
上記特開平８−２５８６６号に記載されたコーナークリップを用いて用紙などの角部を挟持する際、用紙の角部がクリップ本体から出てしまうので用紙の角部が折曲がったりしていた。
【０００４】
本発明のコーナークリップは、書類の角部に安定して繰り返し使用ができ書類の大きさに応じてクリップ本体の大きさも大小製造可能で量産性にも優れており安定して提供できるものである
【課題を解決するための手段】
【０００５】
一枚の略矩形の弾力性を有する鋼板を折り曲げて形成するコーナークリップであって、基本直角二等辺三角形の両斜辺に前記斜辺と同一寸法の長辺を有する矩形と、前記矩形の長辺に前記長辺と同一寸法の底辺を有する付属直角二等辺三角形が谷折線を介して形成され、前記基本直角二等辺三角形の底辺に２個と前記付属直角二等辺三角形の斜辺に、各１個のカーリング部形成用の突片部が前記谷折線にそって前記付属直角二等辺三角形を折り曲げた時、対向する位置となる様に設け、前記突片部を筒状に形成したカーリング部に、起倒可能な様にイカ形リングの先部が挿入され、前記イカ形リングの中央部が前記基本直角二等辺三角形の面と付属直角二等辺三角形の面にそれぞれ接するように設けられたコーナークリップである。
【０００６】
このコーナークリップを用いて挟閉出来る用紙の厚さは、基本直角二等辺三角形の両斜辺に設けた矩形の高さと同一となる。
また、この発明にもちいる、イカ形リングとは、指で挟んで押圧する部分とクリップ本体のカーリング部に挿入され、指で挟んで押圧した力が二個の付属直角二等辺三角形の面が接近した部分を外側へ開く様に作用させる部分が一体的に形成され、ちょうど大小二個の菱形を重ねたようなリング形状をいう。その形状はイカの外観を想起させる。特にクリップ本体のカーリング部に挿入される大きな菱形の形状は、少なくとも付属直角二等辺三角形の面の頂点より底辺に下ろした垂線と一致する位置であることが好ましい。
【発明の効果】
【０００７】
弾力性をもった鋼板で作られた基本直角二等辺三角形の頂点から、二個の付属直角二等辺三角形の斜辺が接近するように、基本直角三角形を二等分する位置に折り曲げてクリップ本体を形成しているので、イカ形リング（ハンドル）の先部に力を加えると基部に設けた二個の付属直角二等辺三角形の面は接近した部分から外側へ開く様に変形し、力を除くと元にもどり、用紙の角を容易に押入挟持できる。又、本発明のコーナークリップは基本二等辺三角形の直角部に当接する様に用紙の角を挟持することで、用紙の縦と横の面を整えることが出来、用紙がめくり易くなる。さらにクリップ本体の構造が簡単なため製造コストも低減でき量産性も可能であるとともに操作が簡単で安定して繰り返し使用できるため書類の整理が容易になった。
【発明を実施するための最良の形態】
【０００８】
以下本発明の形態を図１〜図５に基づいて説明する。図１は鉄鋼板を折り曲げ形成した全体の斜視図。図２は図１に折り曲げる前の１板の弾力性を有する鋼板の原形図。図３は本体コーナークリップを横から見た側面図である。図４は実際用紙の角に施挟持した図。図５はイカ型リングを外側に回転した図。
【実施例】
【０００９】
図１は全体の斜視図であり、図２はその展開図である。その一例として基本直角二等辺三角形５の両斜辺に前記斜辺と同一寸法の長辺を有する矩形の側辺部６ａ,６ｂとその長辺と同一寸法の底辺を有する付属直角二等辺三角形４ａ,４ｂが谷折線７を介して形成され、その付属直角二等辺三角形４ａ,４ｂの直角二等辺の一辺の長さを３ｃｍとした場合付属直角二等辺三角形４ａ,４ｂに付属する双方のカーリング部３ａの折りまげ部分の立ちあがりの長さｈを７ｍｍとし、イカ形リング２ａ,２ｂをさしこむカーリング部の長さＷを１ｃｍとした。また基本直角二等辺三角形５の底辺に付属するカーリング部３ｂのそれぞれも上記カーリング３ａと同じ寸法となり矩形６ａ,６ｂの高さＨを１．４ｃｍとした場合その長辺Ｌは４．３ｃｍとなる。図２の展開図の１枚の略矩形の弾力性を有する鋼板の厚みは３ｍｍで大きさは縦４．７ｃｍ横９．４ｃｍである。尚リング２ａ,２ｂの形は、必然的にイカの形状になるのでイカ形リングという名称にした。又、前記のイカ形リング２ａ ２ｂの直径は２ｍｍとした。上記の寸法は一例だが、用紙の大きさや枚数によってコーナークリップ本体の大きさも大小製作使用可能である。そのイカ型リングの軸部をささえるカーリング部３ａ,３ｂを丸型筒状に折り曲げることによって、イカ型リングを支え回転を可能にした。
【００１０】
図３は本発明の実施例となるコーナークリップの側面図を示している。
図４、図５は本発明の実施例となるコーナークリップ１を用紙８の角に使用した状態を示している。
【図面の簡単な説明】
【００１１】
【図１】本発明の実施例となるコーナークリップ本体の斜視図
【図２】一枚の鋼板を打ちぬいた状態を示す展開図
【図３】コーナークリップの側面図
【図４】用紙の角を施挟持した図
【図５】イカ型リングを外側に回転した説明図
【符号の説明】
【００１２】
１  コーナークリップ
２ａ．２ｂ  イカ型リング（ハンドル）
３ａ．３ｂ  カーリング
４ａ．４ｂ  付属直角二等辺三角形
５  基本直角二等辺三角形
６ａ．６ｂ  コーナークリップの側辺部
７  谷折線
８  用紙
【図１】
2006062368.tif 000003
【図２】
2006062368.tif 000004
【図３】
2006062368.tif 000005
【図４】
2006062368.tif 000006
【図５】
2006062368.tif 000007